(57)【特許請求の範囲】
【請求項１】
針状電極と、上記針状電極に対向する対向電極と、上記針状電極と対向電極の間に形成される放電部と、上記放電部を含みこの放電部で高周波放電を生起させる高周波発振回路と、を備え、上記放電部に導入される音波に応じて変調される音声信号を取り出し、または上記放電部において音声信号で変調される高周波信号に応じた放電を行わせることにより音声に変換する電気音響変換器であって、
上記針状電極の外周面に向けて不活性ガスを供給する不活性ガス供給路を備え、
上記不活性ガス供給路を構成する部材として、上記針状電極の外周面を覆う針状電極カバーを有しており、
上記針状電極カバーは、上記針状電極の先端よりも対向電極側に延び出して、上記針状電極の先端よりも対向電極側にガス流出口を有している電気音響変換器。
【請求項２】
針状電極カバーは、電気音響変換器内において針状電極の外周面に沿って不活性ガスを流すための不活性ガス案内路を構成している請求項１記載の電気音響変換器。
【請求項３】
不活性ガス案内路は絶縁材からなる請求項１または２記載の電気音響変換器。
【請求項４】
針状電極カバーは、針状電極の外周を保持する絶縁材と一体に形成されている請求項１乃至３のいずれかに記載の電気音響変換器。
【請求項５】
不活性ガスは、ヘリウムガスである請求項１乃至４のいずれかに記載の電気音響変換器。
【請求項６】
不活性ガスは、窒素ガスである請求項１乃至４のいずれかに記載の電気音響変換器。
【発明の詳細な説明】
【技術分野】
【０００１】
本発明は、高周波放電を利用して電気音響変換することにより振動板をなくすことができる電気音響変換器に関するもので、針状電極の先端部分の摩耗などをより効果的に防止できるとともに、風雑音の発生も抑制できるようにしたものである。
【背景技術】
【０００２】
一般的なマイクロホンやスピーカなどの電気音響変換器では、振動板が用いられている。マイクロホンの場合、音波を受けて振動する振動板の振動を、電磁的な変化、静電容量の変化、あるいは光学的な変化などとしてとらえて電気信号に変換する。スピーカの場合、一般的には、音声信号を電磁変換して振動板の振動に変換し、音波として出力するようになっている。これら電気音響変換器における振動板は、空気振動と電気信号相互間での変換のために用いられる。すなわち、音響系−機械振動系−電気回路系の三つの系を１枚の振動板が繋いだ構成である。このように、従来の一般的な電気音響変換器は、いずれの方式にせよ振動板を備えているため、振動板が存在することに起因する周波数応答の限界が存在する。したがって、振動板の質量を極限まで小さくしたとしても、質量が存在する以上慣性力が働き、周波数において集音限界が存在することになる。
【０００３】
振動板を持たない電気音響変換器の例として、放電を利用して粒子速度を検出し、電気音響変換する方法が特許文献１に記載されている。特許文献１記載の発明は、針状放電電極と、この放電電極を、間隔をおいて取り囲む対向電極を備えている。対向電極は、球状をなしていて音波を透過するように穿孔された導電材料からなり、放電電極は、上記球状対向電極の内部に向かって伸びて球の中心近傍に到達している。放電電極には、音波に変換されるべき低周波信号によって変調された高周波電圧発生回路から高周波電圧信号が印加され、放電電極と対向電極との間で上記高周波電圧信号に対応したコロナ放電が行われることにより、上記低周波信号すなわち音波が放射されるようになっている。
【０００４】
特許文献１記載の発明は、電気的な音声信号を、放電を利用して音波に変換するもので、イオンスピーカといわれるものである。特許文献１記載の発明をそのままマイクロホンとして使用することは不可能であり、マイクロホンとして使用することの可能性について示唆されてもいない。
【０００５】
本発明者は、針状電極と、この針状電極に対向する対向電極と、この針状電極と対向電極の間に形成される放電部と、この放電部を含みこの放電部で高周波放電を生起させる高周波発振回路と、上記放電部に音波を導入する音波導入部と、上記高周波発振回路で発振され上記放電部に導入される音波に応じて変調された信号を取り出す変調信号取り出し部と、を備えたマイクロホンを発明した。
【０００６】
上記マイクロホンのような高周波放電を用いた電気音響変換器は、針状電極と平板電極で不平等電界を作り、ここに高周波の高電圧を加えることによってプラズマを形成するようになっている。針状電極側は高電界になっているため、プラズマは針状電極付近に発生し平板電極の方に向かって伸びる。針状電極はプラズマに接していることから高温になるため、針状電極の先端部が損耗し、この先端付近に放電生成物が付着して、放電状況、例えばプラズマの長さや形などを劣化させる。放電状況の劣化によって異常放電を起こし、放電部から異常な音波を発する、といった不具合を生じる。
【０００７】
本発明者は、針状電極の先端付近に放電生成物が付着する原因を追及した結果、放電生成物の原因物質は空気中にあるものと推測し、上記針状電極の外周面に向けて不活性ガスを供給する不活性ガス供給路を設けることにより、継続して高周波放電を行っても針状電極の先端部分の損耗および放電生成物の付着がなく、異常放電を起こすこともない、高周波放電を利用した電気音響変換器について特許出願した（特許文献２参照）。
【０００８】
特許文献２に記載されている電気音響変換器の構成例を図２に示す。図２において、マイクロホンユニット２０は、針状電極２３と、この針状電極２３との間で放電させるための対向電極２４を有している。針状電極２３の基部は円筒形状に形成されていて円筒形状の絶縁筒２６で覆われ、絶縁筒２６はさらに円筒形状の絶縁筒２５に嵌合され、絶縁筒２５はベース２１を厚さ方向に貫通して嵌合されている。換言すれば、針状電極２３はその基部が絶縁筒２５、２６の介在のもとにベース２１を厚さ方向に貫通してベース２１に固定されている。
【０００９】
ベース２１は、有底円筒形状のケース２２の底部に相当し、ケース２２の開放端部外周に鍔が形成されている。針状電極２３の先端部は、円錐形状に形成されて先端が尖っており、ケース２２のほぼ中心軸線上に延び出るとともにケース２２で囲まれる空間内に位置している。針状電極２３の素材として、例えば、先端の曲率が５０μｍのタングステンを用いることができる。
【００１０】
ケース２２の底部に相当するベース２１とは反対側のケース２２の開放端部には、この開放端部を塞ぐようにして対向電極２４が固定されている。対向電極２４は平板状の電極であるが、例えば、無数の小孔が開けられたパンチングメタルを用い、あるいは導電性のワイヤを網状に編み込んだ素材を用いることにより、音波を通すことができる構造になっている。対向電極２４は表面が絶縁材で覆われている。対向電極２４として、例えば、音波を通すために多数の開口を設けたステンレス鋼板を、厚さ０．１ｍｍのセラミック（シリカ）で被覆して用いることができる。
【００１１】
対向電極２４は針状電極２３の先端と適宜の間隔をおいて対向していて、対向電極２４と針状電極２３との間で放電部を構成している。この放電部は、高周波放電を生起させる高周波発振回路の一部を構成し、この放電部で高周波放電が生起されるようになっている。この放電は火炎放電といわれるもので、符号２７は、放電によって生じる火炎を示している。対向電極２４は、上記のように音波をケース２２内の放電部に導入する音波導入部を構成している。また、ケース２２の周壁にも、音波をケース２２内の放電部に導入する音波導入部としての孔を形成してもよい。
【００１２】
上記針状電極２３と対向電極２４との間で高周波放電を生起させるためには高周波の高電圧を印加する必要があるため、高周波発振回路は、高電圧に耐えることができる真空管を発振用の能動素子として使用している。針状電極２３と対向電極２４との間で形成される放電路の放電電流が上記真空管に帰還するように回路が構成されている。すなわち自励発振による高周波発振回路が構成されている。
【００１３】
針状電極２３と対向電極２４は高周波放電部を構成しており、この高周波放電部の粒子速度が音波の粒子速度によって変化し、高周波放電部の等価インピーダンスが変化する。音波によって高周波放電部の等価インピーダンスが変化することにより、上記発振回路による発信信号が音波によって変調される。この変調信号は、周波数変調すなわちＦＭ変調成分と振幅変調すなわちＡＭ変調成分を含むが、ＦＭ変調成分の方がより多く含まれる。したがって、上記ＦＭ変調された信号を取り出してこれをＦＭ復調回路に入力すれば、上記音波導入部から導入される音波に対応したオーディオ信号に変換することができる。
【００１４】
針状電極２３は、その外周が先端近くまで不活性ガス案内路２５１によって囲まれている。不活性ガス案内路２５１は、電気音響変換器内において上記針状電極の外周面に沿って不活性ガスを流すために設けられているもので、針状電極２３の外周を保持する前記絶縁筒２５と一体に、したがって絶縁材で円筒形状に形成されている。不活性ガス案内路２５１は、針状電極２３の外周面との間に空間をおいて針状電極２３の外周を囲み、針状電極２３の先端部周面に沿って不活性ガスを流すガス流出口２５２を備えている。針状電極２３の先端部分はガス流出口２５２よりも外方に突出していて、対向電極２４との間での放電に支障を来さない形になっている。
【００１５】
不活性ガス案内路２５１にはパイプ４２が連通している。パイプ４２は前記円筒形状のケース２２を半径方向に貫いて固定され、さらに、先端部が不活性ガス案内路２５１に嵌合されることにより、パイプ４２の内部空間が不活性ガス案内路２５１の内部空間に連通した状態で不活性ガス案内路２５１に連結されている。ケース２２の外周から突出したパイプ４２の他端部は、カップリング４１を介して別のパイプ４０に連結されている。パイプ４０、カップリング４１およびパイプ４２は、上記不活性ガス案内路２５１とともに、図示されないガスボンベなどからマイクロホンユニット２０すなわち電気音響変換器の針状電極２３に向けた不活性ガスの供給路を構成している。使用する不活性ガスの例として、ヘリウムガスあるいは窒素ガスがある。
【００１６】
上記不活性ガス供給路から不活性ガスを供給しながら針状電極２３と対向電極２４との間で高周波放電させ、電気音響変換動作を行わせる。パイプ４０、カップリング４１およびパイプ４２からなる供給路を通じて不活性ガス案内路２５１に導かれる不活性ガスは、不活性ガス案内路２５１の内部空間に案内されてガス流出口２５２の方に向かって流れる。不活性ガスはガス流出口２５２において絞られることにより針状電極２３の先端部外周に沿って流れ、針状電極２３の外周面と空気との接触が遮断される。したがって、空気中の放電生成物原因物質が針状電極２３に付着することを防止することができ、放電生成物の付着を原因とする異常放電を防止して、動作の安定した高周波放電による電気音響変換器を得ることができる。また、従来、空気の流れによって生じていた針状電極の先端部の損耗も防止することができる。
【先行技術文献】
【特許文献】
【００１７】
【特許文献１】特開昭５５−１４０４００号公報
【特許文献２】特開２０１１−１８８０３７号公報
【発明の概要】
【発明が解決しようとする課題】
【００１８】
図２に示す高周波放電を利用した電気音響変換器によれば、針状電極２３と対向電極２４の間で放電が行われているとき不活性ガス供給路から針状電極の外周面に向けて不活性ガスを供給することにより、針状電極２３の表面と空気との接触が遮断され、空気中の放電生成物原因物質が針状電極に付着することを防止することができる。もって、放電生成物の付着を原因とする異常放電を防止することができる。
【００１９】
しかし、上に述べたような高周波放電を利用した電気音響変換器の性能向上を目指して技術開発を行ううちに、さらなる改良が必要であることが分かってきた。性能向上の一つは、感度の向上である。高周波放電を利用した電気音響変換器の感度を向上させる一つの手法は放電電力を増加させることである。しかし、放電電力を増加させると火花放電に移行しやすくなる。火花放電を防止するには不活性ガスの流量を増加すればよいが、不活性ガスの流量を増加すると、不活性ガスの流れによってプラズマが吹かれ、マイクロホン一般において生じる風雑音と同様の雑音が発生し、信号対雑音比を劣化させることが分かった。
【００２０】
本発明は、以上説明した従来の高周波放電を利用した電気音響変換器の問題点を解消すること、すなわち、風雑音の発生を防止しながら感度を高めることができる高周波放電を利用した電気音響変換器を提供することを目的とする。
【課題を解決するための手段】
【００２１】
本発明は、針状電極と、上記針状電極に対向する対向電極と、上記針状電極と対向電極の間に形成される放電部と、上記放電部を含みこの放電部で高周波放電を生起させる高周波発振回路と、を備え、上記放電部に導入される音波に応じて変調される音声信号を取り出し、または上記放電部において音声信号で変調される高周波信号に応じた放電を行わせることにより音声に変換する電気音響変換器であって、上記針状電極の外周面に向けて不活性ガスを供給する不活性ガス供給路を備え、上記不活性ガス供給路を構成する部材として、上記針状電極の外周面を覆う針状電極カバーを有しており、上記針状電極カバーは、上記針状電極の先端よりも対向電極側に延び出して、上記針状電極の先端よりも対向電極側にガス流出口を有していることを最も主要な特徴とする。
【発明の効果】
【００２２】
針状電極と対向電極の間で放電が行われているとき不活性ガス供給路から針状電極の外周面に向けて不活性ガスを供給することにより、針状電極の表面と空気との接触を遮断し、空気中の放電生成物原因物質が針状電極に付着することを防止する。不活性ガス供給路を構成する針状電極カバーは、上記針状電極の先端よりも対向電極側に延び出して、上記針状電極の先端よりも対向電極側にガス流出口を有しているため、不活性ガスの流量が少なくても、かつ、放電電力を増加させても、火花放電に移行しにくく、感度を高めつつ風雑音の発生を抑制し信号対雑音比を改善することができる。
【図面の簡単な説明】
【００２３】
【図１】本発明に係る電気音響変換器の実施例を示す縦断面図である。
【図２】従来の高周波放電による電気音響変換器の例を示す縦断面図である。
【発明を実施するための形態】
【実施例】
【００２４】
以下、本発明に係る電気音響変換器の実施例について図１を参照しながら説明する。なお、図１に示す実施例の構成部分の多くは図２に示す従来例の構成部分と同じであるから、同じ構成部分には共通の符号を付している。
【００２５】
図１において、マイクロホンユニット２０は、針状電極２３と、この針状電極２３との間で放電させるための対向電極２４を有している。針状電極２３の基部外周面は円筒面になっていて、上記基部外周面は円筒形状の絶縁筒２６で覆われ、絶縁筒２６はさらに円筒形状の絶縁筒２５に嵌合され、絶縁筒２５はベース２１を厚さ方向に貫通して嵌合されている。換言すれば、針状電極２３はその基部が絶縁筒２５、２６の介在のもとにベース２１を厚さ方向に貫通してベース２１に固定されている。ベース２１の外周の一面側からは円筒形のケース２２が一体に延び出ている。ベース２１は円筒形のケース２２の底部に相当している。針状電極２３はケース２２のほぼ中心軸線上に、かつ、ケース２２で囲まれる空間内に位置している。針状電極２３の先端部は円錐形状に形成されてケース２２内に延び出ている。針状電極２３の先端は鋭角的に尖っている。針状電極２３の素材として、例えば、先端の曲率が５０μｍのタングステンを用いることができる。
【００２６】
ケース２２のベース２１とは反対側の開放端部には、この開放端部を塞ぐようにして前記対向電極２４が固定されている。対向電極２４は平板状の電極であるが、例えば、無数の小孔が開けられたパンチングメタルを用い、あるいは導電性のワイヤを網状に編み込んだ素材を用いることにより、音波を通すことができる構造になっている。対向電極２４は表面が絶縁材で覆われている。対向電極２４として、例えば、音波を通すために多数の開口を設けたステンレス鋼板を、厚さ０．１ｍｍのセラミック（シリカ）で被覆して用いることができる。対向電極２４は針状電極２３の先端と適宜の間隔をおいて対向していて、対向電極２４と針状電極２３との間で放電部を構成している。この放電部は、高周波放電を生起させる高周波発振回路の一部を構成し、この放電部で高周波放電が生起されるようになっている。この放電は火炎放電といわれるもので、図１における符号２７は、対向電極２４と針状電極２３との間の放電部において放電によって生じる火炎を示している。対向電極２４は、上記のように音波をケース２２内の放電部に導入する音波導入部を構成している。また、ケース２２の周壁にも、音波をケース２２内の放電部に導入する音波導入部としての孔を形成してもよい。
【００２７】
針状電極２３と対向電極２４との間で高周波放電を生起させるためには高周波の高電圧を印加する必要があるため、高周波発振回路は、高電圧に耐えることができる真空管を発振用の能動素子として使用している。針状電極２３と対向電極２４との間で形成される放電路の放電電流が上記真空管に帰還するように回路が構成されることにより、自励発振による高周波発振回路が構成されている。針状電極２３と対向電極２４は高周波放電部を構成しており、この高周波放電部の粒子速度が音波の粒子速度によって変化し、高周波放電部の等価インピーダンスが変化する。音波によって高周波放電部の等価インピーダンスが変化することにより、上記発振回路による発信信号が音波によって変調される。この変調信号は、周波数変調すなわちＦＭ変調成分と振幅変調すなわちＡＭ変調成分を含むが、ＦＭ変調成分の方がより多く含まれる。したがって、上記ＦＭ変調された信号を取り出してこれをＦＭ復調回路に入力すれば、上記音波導入部から導入される音波に対応したオーディオ信号に変換することができる。
【００２８】
前記絶縁筒２５の先端部はケース２２の内方まで進入していて、絶縁筒２５の先端に針状電極カバー５０の基端が結合されている。針状電極カバー５０は、針状電極２３の先端よりも対向電極２４側に延び出して、針状電極２３の先端よりも対向電極２４側にガス流出口５１を有している。針状電極２３の先端部が絞られることによりガス流出口５１の径は小さくなっている。針状電極２３は円筒状の部材で、その内部空間は不活性ガス案内路５２となっている。したがって、針状電極２３の長さ方向全体が不活性ガス案内路５２で覆われている。
【００２９】
不活性ガス案内路５２は、電気音響変換器内において針状電極２３の外周面に沿って不活性ガスを流すために設けられていて、針状電極２３の外周を保持する前記絶縁筒２５と一体に結合されている。不活性ガス案内路５２は、針状電極２３の外周を針状電極２３の長さ方向全体にわたり針状電極２３の外周面との間に空間をおいて囲み、針状電極２３の先端部周面に沿って不活性ガスを流す上記ガス流出口５１を備えている。ガス流出口５１は針状電極２３の先端部分よりも対向電極２４側に突出している。ガス流出口５１があることによって、針状電極２３と対向電極２４との間での放電に支障を来さない形になっている。
【００３０】
不活性ガス案内路５２にはパイプ４２が連通している。パイプ４２は前記円筒形状のケース２２を半径方向に貫いて固定され、さらに、先端部が絶縁筒２５に嵌合されることにより、パイプ４２の内部空間が不活性ガス案内路５２に連通している。ケース２２の外周から突出したパイプ４２の他端部は、カップリング４１を介して別のパイプ４０に連結されている。パイプ４０、カップリング４１およびパイプ４２は、図示されないガスボンベなどからマイクロホンユニット２０すなわち電気音響変換器に向けた不活性ガスの供給路を構成していて、上記不活性ガス案内路５２とともに不活性ガス供給路を構成している。使用する不活性ガスの例として、ヘリウムガスあるいは窒素ガスがある。
【００３１】
上記不活性ガス供給路から不活性ガスを供給しながら針状電極２３と対向電極２４との間で高周波放電させ、電気音響変換動作を行わせる。パイプ４０、カップリング４１およびパイプ４２、針状電極カバー５０からなる不活性ガス供給路を通じて不活性ガス案内路５２に導かれる不活性ガスは、不活性ガス案内路５２の内部空間に案内されてガス流出口５１の方に向かって流れる。不活性ガスはガス流出口５１において絞られることにより針状電極２３の円錐形状の先端部外周に沿って流れ、針状電極２３の先端部外周面と空気との接触が遮断される。したがって、空気中の放電生成物原因物質が針状電極２３に付着することを防止することができ、放電生成物の付着を原因とする異常放電を防止して、動作の安定した高周波放電を利用した電気音響変換器を得ることができる。また、従来、空気の流れによって生じていた針状電極の先端部の損耗も防止することができる。
【００３２】
図１に示す実施例では、電気音響変換動作中に針状電極２３全体が針状電極カバー５０で覆われ、針状電極２３全体が不活性ガスで覆われて外気に触れることがないため、放電によって針状電極２３の先端が損耗するとか、先端付近に放電生成物が付着する、といった不具合を防止することができ、放電生成物を原因とする異常放電を防止することができる。
【００３３】
また、不活性ガス供給路を構成する針状電極カバー５０は、針状電極２３の先端よりも対向電極側に延び出して、針状電極２３の先端よりも対向電極２４側にガス流出口５１を有しているため、不活性ガスの流量が少なくても火花放電に移行しにくい。したがって、放電電力を増加させて感度を高めても、火花放電を防止するための不活性ガスの流量は少なくてもよく、不活性ガスの流れによる風雑音の発生を抑制して信号対雑音比を改善することができる。
【産業上の利用可能性】
【００３４】
図示の実施例では、高周波放電を利用したマイクロホンとして説明したが、高周波発振回路で発振される高周波信号を音声信号で変調し、この変調信号で針状電極２３と対向電極２４との間で放電させることにより、前記イオンスピーカの原理により、スピーカとして動作させることができる。よって、本発明に係る電気音響変換器は、マイクロホンとしてもスピーカとしても利用することができる。
【符号の説明】
【００３５】
２０    マイクロホンユニット
２３    針状電極
２４    対向電極
２５    絶縁筒
２７    火炎
４２    不活性ガス供給路としてのパイプ
５０    針状電極カバー
５１    ガス流出口
５２    不活性ガス案内路
【図１】
0005777540.tif 000002
【図２】
0005777540.tif 000003